(57)【特許請求の範囲】
【請求項１】
パネル穴の周縁部分を囲むように形成された環状基板と、中心部に電線挿通孔を有し、前端に底壁を備えた基部と、前記環状基板と前記底壁とを連結し、前記パネル穴内縁に係合するパネル嵌着溝を有する薄肉円管状の外周壁とから構成され、前記外周壁と前記基部との間に環状凹部が形成された軟質弾性体からなる外グロメットと、
前記外グロメットの前記基部を外嵌する周壁を備えた環状基部と、前記環状基部の前端に設けられ、前記環状凹部に嵌入されて前記底壁に当接される底板と、該底板の外周縁から後方へ向けて斜めに突設され、先端部により形成される外周径が前記パネル穴の開口径より大きく設定されている複数の係止片とから構成された硬質弾性体からなる内グロメットと、からなることを特徴とするグロメット。
【請求項２】
前記外グロメットの前記環状凹部が円筒形で、前記内グロメットの前記底板が円形に形成されてなることを特徴とする請求項１記載のグロメット。
【請求項３】
前記係止片の断面形状が、平板状に形成されてなることを特徴とする請求項２記載のグロメット。
【請求項４】
前記係止片の断面形状が、円弧状に形成されてなることを特徴とする請求項２記載のグロメット。
【請求項５】
前記係止片の断面形状が前記底板における付け根部分では平板状であり、先端部分では円弧状に形成されてなることを特徴とする請求項２記載のグロメット。
【請求項６】
前記外グロメットの前記環状凹部が角筒形で、前記内グロメットの前記底板が角形に形成され、かつ前記係止片の断面形状が平板状に形成されてなることを特徴とする請求項１記載のグロメット。
【発明の詳細な説明】
【０００１】
【産業上の利用分野】
本発明は、自動車等のパネル穴にワイヤーハーネスを水密的に挿通し、かつ保持するための２部品から構成されるグロメットに関し、詳しくはパネル穴への装着性と水密性の向上を図ることができるグロメットに関する。
【０００２】
【従来の技術】
従来から自動車等のパネル穴に電線を挿通、保持するために使用されているグロメットに関しては、例えば実開平１−６２６２１号公報等に開示されている構造のものが知られている。
図１０に示すような従来のグロメット５０は、パネルＰのエンジンルーム側に位置した例えばゴム等の軟質弾性体からなる外グロメット５１と、車室側に位置した例えば樹脂等の硬質弾性体からなる内グロメット５２の２部品から構成されている。
【０００３】
この外グロメット５１には、ワイヤーハーネス等の電線Ｃを挿通し、かつ水密的に保持するための管状の電線挿入部５３の端部に円板状の基部５４が設けられている。この基部５４のパネル穴Ｈ周縁部分に当接する面には、環状の内周リップ５５と外周リップ５６からなる防水構造部５７が形成されている。この防水構造部５７をパネル穴Ｈの外面周縁部分に付勢して水密的に当接させるための、内グロメット５２が設けられている。
【０００４】
この内グロメット５２は、外グロメット５１の内側に設けられた嵌合凹部５８に嵌入される環状基板５９と、この環状基板５９から突設された周壁６０と、この周壁６０の内側に一体的に装着された底壁６１が設けられている。この底壁６１の中心部には、電線Ｃが挿通されるための挿通穴６２が設けられている。また、周壁６０から底壁６１にかけて、複数の切込み窓６３が設けられている。この切込み窓６３の位置における底壁６１の外周部を支点として、複数の係止片６４が周壁６０の外周へ突出するように設けられている。この係止片６４の自由端部にはパネル穴Ｈに係止されるための係止段部６４ａが設けられている。
【０００５】
上記構成によるグロメット５０においては、先づ電線Ｃが外グロメット５１の電線挿入部５３に挿通されると共に、水密的に固定された後、嵌合凹部５８に内グロメット５２の環状基板５９が嵌入される。そして、一体的に組付けられた上記グロメット５０が外側からパネル穴Ｈに押込まれると、係止片６４が内周側に撓みながらパネル穴Ｈを通過し、その後に係止段部６４ａがパネル穴Ｈに係止されて、係止片６４が外周へ拡張される。
よって、内・外周リップ５５，５６はパネルＰの外面に強く押圧されることになり、外グロメット５１はパネル穴Ｈに水密的に係止される。即ち、グロメット５０は、軟質弾性体からなる１部品だけの旧来のグロメットに比較して、パネル穴Ｈへの挿通力が小さく容易に装着できると共に、防水性を確保することができる。
【０００６】
【発明が解決しようとする課題】
しかしながら、上記グロメット５０では、図１１に示すように電線Ｃが外側方向へ引っ張られると、係止片６４はパネル穴Ｈに係止されたまま、内グロメット５２の環状基板５９が外側へ移動することになる。そのため、外グロメット５１の基部５４が変形されるため、内・外リップ５５，５６がパネルＰ外面から離されるか、若しくはパネルＰ外面への押圧力が弱められる。よって、パネル穴Ｈとの水密性が損なわれるという問題が発生してくる。
【０００７】
本発明の目的は、上記課題にかんがみてなされたものであり、パネル穴への挿通力が小さく装着操作が容易であると共に、電線が外方へ引っ張られても水密性が損われないグロメットを提供することにある。
【０００８】
【課題を解決するための手段】
本発明の上記目的は、パネル穴の周縁部分を囲むように形成された環状基板と、中心部に電線挿通孔を有し、前端に底壁を備えた基部と、環状基板と底壁とを連結し、パネル穴内縁に係合するパネル嵌着溝を有する薄肉円管状の外周壁とから構成され、外周壁と基部との間に環状凹部が形成された軟質弾性体からなる外グロメットと、外グロメットの基部を外嵌する周壁を備えた環状基部と、環状基部の前端に設けられ、環状凹部に嵌入されて底壁に当接される底板と、底板の外周縁から後方へ向けて斜めに突設され、先端部により形成される外周径が前記パネル穴の開口径より大きく設定されている複数の係止片とから構成された硬質弾性体からなる内グロメットとからなることを特徴とするグロメットによって達成することができる。
【０００９】
上記目的は、外グロメットの環状凹部が円筒形で、内グロメットの底板が円形に形成されていることにより達成される。
【００１０】
また上記目的は、係止片の断面形状が平板状に形成されていることにより達成される。
【００１１】
また上記目的は、係止片の断面形状が円弧状に形成されていることにより達成される。
【００１２】
また上記目的は、係止片の断面形状が底板における付け根部分では平板状であり、先端部分では円弧状に形成されていることにより達成される。
【００１３】
更に上記目的は、外グロメットの環状凹部が角筒形で、内グロメットの底板が角形に形成され、かつ係止片の断面形状が平板状に形成されていることにより達成される。
【００１４】
【作  用】
本発明に係わるグロメットにおいては、外グロメットの環状凹部に内グロメットの底板が外方から嵌入され、該底板が外グロメットの底壁に当接すると、薄肉の外周壁のパネル嵌着溝より前側部分が係止片の先端によって外周へ拡張された状態となる。その後、外グロメットの底壁からパネル穴に挿入されると、該パネル穴の端縁によって係止片が内方に撓まされることで外周壁径が縮径されてパネル穴を小さな挿通力で通過させることができる。そして、環状基板がパネル面に当接されると、係止片の先端がパネル穴を通過するので、外周壁は再び拡張される。よって、外周壁はパネル穴縁へ強く押圧されることになり、外グロメットはパネル穴に容易かつ水密的に係止される。
【００１５】
また、電線が外側方向に引張られても、外周壁を拡張させている係止片がパネル穴内側面に外周壁を介して当接しているため、外周壁は一層パネル穴縁へ押圧されるので、水密性が損われることはない。
【００１６】
【実施例】
本発明のグロメットの第１実施例を図１乃至図５に基づいて詳細に説明する。図１は本発明のグロメットの第１実施例を示す分解斜視図、図２は図１における内グロメットの断面図、図３は図１における外グロメットの断面図、図４はグロメットのパネル穴への装着中の状態を示す作動説明図、図５は図４における装着完了状態を示す作動説明図である。
【００１７】
図１に示すようにグロメット１は、自動車のエンジンルームと車室とを隔離するパネルＰに対してエンジンルーム側（以下、パネル外側と言う。）に位置する外グロメット２と、車室側（以下、パネル内側と言う。）に位置する内グロメット３とから構成される。この外グロメット２は、ゴム等の軟質弾性体からなり、パネル外側にワイヤハーネス等の電線を挿通して水密的に保持するための管状の電線挿入部４が設けられている。この電線挿入部４の内端に接続されて、中心部に電線が挿通される電線挿通孔５を有する厚肉で中空円筒状の基部６が設けられている。
【００１８】
この基部６の内端には、外周へ向けてリング状の底壁７が設けられており、この底壁７の外周部から薄肉の外周壁８が外方へ向けて薄肉円筒状に設けられている。さらに詳しくは、図３に示すように外周壁８は、底壁７の外周端から拡径される方向に延設された後、再び縮径される方向に延設されてフランジ状の環状基板９に連結された形状になっている。この外周壁８の上端径は、パネル穴Ｈの開口径にほぼ等しく設定されており、パネル嵌着溝８ａが形成されている。
したがって、基部６の外周部と、環状基板９および外周壁８の内周部とにより内グロメット３が嵌入される環状凹部１０が形成されている。
【００１９】
また、内グロメット３は硬質樹脂等の硬質弾性体からなり、外端にはリング状の環状基部１１が設けられており、この環状基部１１の内周部から周壁１２が内側に向けて延設されている。この周壁１２の先端部にはリング状の底板１３が設けられており、この底板１３の外周部からは複数の平板状の係止片１４が等間隔に外方へ向けて斜設されている。この係止片１４の断面形状が、平板状に形成されていることにより、先端部が内方向へ押されたときに撓み易くなる。
さらに詳しくは、図２および図７に示すように係止片１４は、底板１３の外周縁から一体的に設けられており、先端に行くにつれて外方向に拡開するように傾斜して設けられている。そして、この係止片１４の先端部により形成される外周径は、パネル穴Ｈの開口径より大きく設定されている。
【００２０】
上記構成のグロメット１においては、先づ外グロメット２の環状凹部１０に内グロメット３の底板１３が嵌入され、該底板１３が底壁７に当接されると、複数の係止片１４の先端部により薄肉の外周壁８が外方向に拡張されることで組付けが完了する。
【００２１】
次に、パネル穴Ｈへの装着を図４および図５に基づいて説明する。図４に示すようにグロメット１は、パネル穴ＨにパネルＰ外側から底壁７を先にして押圧挿通される。このとき、係止片１４が内方向に撓んで外周壁８が縮小される。よって、グロメット１は小さな挿入力で容易にパネル穴Ｈに装着されるので作業性が向上する。
【００２２】
そして、図５に示すようにグロメット１が、パネル穴Ｈに装着されると外周壁８が複数の係止片１４により外方向に拡張されるので、パネル穴Ｈの端縁は外周壁８のパネル嵌着溝８ａ部分によってパネルＰに沿って外方向へ強く押圧される。即ち、パネル穴Ｈの開口径が係止片１４の先端部の外周径より小さいので、外周壁８による押圧力が大きくなる。よって、グロメット１のパネル穴Ｈに対する水密性が確実に確保される。
【００２３】
次に、図５に示すように電線が電線挿通孔５に挿通された後、電線挿入部４の水密性を確保するために外周にテープが巻かれる。そして、その後、仮に電線がパネル外側へ引張られても、複数の係止片１４により外周壁８がパネル内側面に押し付けられているので、水密性を損なうことはなく、一層向上するものである。よって、水密性に対する信頼性が著しく向上することになる。
【００２４】
次に、本発明のグロメットの第２実施例を図６に基づいて説明する。図６に示すようにグロメット１５は、外グロメット１６と内グロメット１７とから構成されている。そして、第１実施例と異るのは、外グロメット１６の基部６、底壁７、外周壁８および環状基板９と、内グロメット１７の環状基部１１および底板１３が角形または角筒形に形成されている点である。
【００２５】
この角形グロメット１５は、電線の回転方向を規制したいときに使用されるものであり、係止片１４が平板状であるためパネルへの装着時に内方向へ撓み易く挿通性が良い。また、係止片１４を底板１３に沿って長く設定できるため係止力が安定している。
【００２６】
次に、図８に本発明のグロメットの第３実施例を示す。図８に示すように内グロメット１８の底板１３は円板状に形成されているが、複数の係止片１９は付け根部分も先端部分も円弧状の断面に形成されている。
本実施例におけるグロメット２２は、係止片１９の先端部分の断面形状が円弧状であるため、先端部分が外周壁８の内周に万遍なく当接される。よって、パネル穴Ｈに対する水密性が一層向上する。
【００２７】
次に、図９に本発明のグロメットの第４実施例を示す。図９に示すように内グロメット２０の底板１３は円板状に形成されているが、複数の係止片２１は、付け根部分における断面形状は平板状であるが、先端へ行くにつれて次第に円弧状断面に変化するものである。
本実施例におけるグロメット２３は、係止片２１の先端部分の断面形状が円弧状であるため、先端部分が外周壁８の内周に万遍なく当接されると共に、係止片２１の付け根部分における断面形状が平板状であるため、内方向へ容易に撓ませることができる。よって、パネル穴Ｈに対する水密性が一層向上すると共に、パネル穴Ｈへの挿通性が一層向上する。
【００２８】
なお、本発明は、前述した実施例に限定されるものではなく、適宜な変更を行うことにより、他の態様でも実施することができる。例えば、図７および図９に示した底板１３は円板形状であったが、多角形状板であっても差し支えなく、係止片１４，２１との接続構造が円滑になり成形型を簡素化することができる。
【００２９】
【発明の効果】
以上説明したように本発明のグロメットによれば、軟質弾性体からなる外グロメットの環状凹部に嵌入された硬質弾性体からなる内グロメットの複数の係止片により、薄肉の外周壁に設けられたパネル嵌着溝がパネルに沿った外方向へ押圧付勢されている。
これにより、パネル穴へ装着させる際の挿通性が良くなり、作業性が向上すると共に、パネル穴縁との親和性に優れるため、防水性を確実に確保することができる。
また、角形のグロメットでは、平板状の係止片を長く設定できるのでパネルへ装着させる際の挿通性がさらに良く、また安定した係止力を確保することができる。
【図面の簡単な説明】
【図１】本発明のグロメットの第１実施例を示す分解斜視図である。
【図２】図１における内グロメットの断面図である。
【図３】図１における外グロメットの断面図である。
【図４】図１におけるグロメットのパネル穴への装着途中状態を示す作動説明図である。
【図５】図１におけるグロメットのパネル穴への装着完了状態を示す作動説明図である。
【図６】本発明のグロメットの第２実施例を示す分解斜視図である。
【図７】図１における係止片の部分拡大斜視図である。
【図８】本発明のグロメットの第３実施例を示す係止片の部分拡大斜視図である。
【図９】本発明のグロメットの第４実施例を示す係止片の部分拡大斜視図である。
【図１０】従来のグロメットのパネル穴への装着状態を示す断面図である。
【図１１】図１０における作動説明図である。
【符号の説明】
１        グロメット（第１実施例）
２        外グロメット
３        内グロメット
４        電線挿入部
５        電線挿通孔
６        基部
７        底壁
８        外周壁
８ａ      パネル嵌着溝
９        環状基板
１０        環状凹部
１３        底板
１４        係止片
１５        グロメット（第２実施例）
１６        外グロメット
１７        内グロメット
１８        内グロメット
１９        係止片
２０        内グロメット
２１        係止片
２２        グロメット（第３実施例）
２３        グロメット（第４実施例）
Ｈ        パネル穴
【図１】
0003627867.tif 000002
【図２】
0003627867.tif 000003
【図３】
0003627867.tif 000004
【図４】
0003627867.tif 000005
【図５】
0003627867.tif 000006
【図６】
0003627867.tif 000007
【図７】
0003627867.tif 000008
【図８】
0003627867.tif 000009
【図９】
0003627867.tif 000010
【図１０】
0003627867.tif 000011
【図１１】
0003627867.tif 000012